(57)【特許請求の範囲】
【請求項１】
生コンクリート（レディーミクスコンクリート）の製造プロセスから回収される、固形物により汚染された水で多数の貯蔵タンクを連続的に充填することと、
前記貯蔵タンク内の固形物により汚染された水の比重を決定することと、
前記貯蔵タンク内の一以上の選択された汚染物質の濃度が所望のレベル以下になるような希釈された水を形成するために、前記貯蔵タンクに水を追加することによって前記固形物により汚染された水を希釈することと、
前記貯蔵タンクからの前記希釈された水を前記生コンクリート（レディーミクスコンクリート）の製造プロセスにおいて使用することと、
を含み、前記貯蔵タンクが前記汚染された水の比重を決定するためのセンサを組み入れており、前記比重が所定のレベルに到達すると前記タンクが迂回されて次の貯蔵タンクが充填される、水回収プラントを稼働させるためのプロセス。
【請求項２】
前記回収される汚染された水が前記生コンクリート（レディーミクスコンクリート） の製造及び移送において用いられる装置からの洗浄液を含む、請求項１記載のプロセス。
【請求項３】
前記汚染された水がピットに集められる、請求項１記載のプロセス。
【請求項４】
前記生コンクリート（レディーミクスコンクリート）の製造又は製造装置若しくは移送装置の洗浄において用いるために前記貯蔵タンクから汚染された水が連続的に注ぎ込まれる、請求項１記載のプロセス。
【請求項５】
迂回されたタンクが汚染されていない水で充填される、請求項１記載のプロセス。
【請求項６】
前記汚染されていない水が都市水の供給源から供給される、請求項５記載のプロセス。
【請求項７】
前記汚染されていない水が、本発明のプロセスからのリサイクル水から過剰な固形物を取り除くために用いられる濾過圧搾器から供給される、請求項５記載のプロセス。
【請求項８】
前記汚染された水が、不活性微粉、セメント質製品、泥、及びこれらを組み合わせた物からなる一群から選択される汚染物質で汚染されている、請求項１記載のプロセス。
【請求項９】
前記汚染された水の懸濁物質の濃度が比重に加えて決定される、請求項１記載のプロセス。
【請求項１０】
前記汚染された水の比重が１．０５以下に維持される、請求項１記載のプロセス。
【請求項１１】
前記汚染された水の比重が１．０２５以下に維持される、請求項１記載のプロセス。
【発明の詳細な説明】
【技術分野】
【０００１】
本発明は、水回収プラントを稼働させるためのプロセスに関するものである。特に、本発明は、製造設備又は建設設備と連携する水回収プラントを稼働させるためのプロセスに関するものである。この水回収プラントでは、製造設備又は建設設備からの固形物により汚染された水が処理及びリサイクルされて製造設備又は建設設備へと戻される。
【背景技術】
【０００２】
多くの製造プロセス及び建設プロセスからは、廃液が生成される。環境のことを考えると、製造プロセス又は建設プロセスからの副産物として生成される高レベルの固形物を含有する廃液は、排出又は再利用の前に、固形物のレベル及び他の汚染物質のレベルを許容レベルにまで下げる処理を行う必要がある。法定機関により、雨水、家庭雑排水、又は下水道システムから排出される廃液に含まれていてもよい汚染物質のレベルが制限されている。廃液の排出の前に、一以上の汚染物質を取り除くことによって、廃液を排水に適した品質にする必要がある場合が多い。廃液から汚染物質を取り除くプロセスでは、それが如何なるプロセスであっても、それらの汚染物質もまた廃棄される必要がある。これらの汚染物質の廃棄は、費用が掛かる場合もあれば、技術的に困難な場合もある。
【０００３】
多くの製造プロセスにおいては、廃液は副産物として生成され、比較的に高いレベルの懸濁物質を含有している。これらの懸濁物質は、濾過又は他のプロセスにより、許容レベルにまで取り除かれうる。しかしながら、これらのプロセスにより生成された濾過ケーキ又は廃棄物もまた、廃棄される必要がある。廃液が他の汚染物質を含有している場合、汚染物質を取り除くために他のプロセスにより処理することが必要となる場合がある。しかしながら、この廃液から取り除かれた汚染物質は、別に廃棄されることが必要である。廃液から取り除かれた汚染物質の廃棄は制限されている場合が多く、従って、廃棄は費用又は技術的な負担をオペレータに負わせる。
【０００４】
生コンクリートを製造する際には、その生産において、生産設備及び生コンクリートの輸送車を洗浄する場合と同様、大量の水が消費される。生産設備及び車の洗浄には、生コンクリートが固化して取り除くことが更に困難となる前にこの生コンクリートを取り除くという、生産プロセスにとって非常に重要な意味がある。
【０００５】
通常、コンクリート輸送車は、生コンクリートの内の約３〜５％を生産施設に戻してくるが、その内の多くは廃棄場に捨てられ、残りは車から洗い流される。これにより、汚水が生じることに加えて、経済的な再利用が不可能である少量の砂利が生じる。この砂利の全部又は一部を回収しようとすると、それよりも著しく多い量の汚水が生じ、この汚水を廃棄の前に濾過することが必要となる。従って、上記砂利の全部又は一部を回収することは現実的ではない。
【発明の開示】
【発明が解決しようとする課題】
【０００６】
これまで、この汚水を経済的にリサイクルして製造プロセスに戻すということは、一般的に可能なことではなかった。というのは、このような汚水は微粉により著しく汚染されており、この微粉がコンクリートの混合物中に混合すると、そのコンクリートに所望の強度を持たせるために必要となるセメントの量が増加するからである。更に、多量の微粉が存在すると、この微粉が過剰な水分を含んでいるために、コンクリートを弱くするだけでなく、コンクリートに亀裂を発生させてしまう。従って、生コンクリートの製造においては、非常に少ない量だけの水をコンクリートの製造に戻していた、又は、実際に戻すことが可能であった。
【０００７】
他の建設プロセスにおいても、過剰量の固形物により汚染された廃液を処理する場合、同様の問題に直面する。例えば、基礎の構築においては、イルミナイトを移送するための水としては、生成される廃液の汚染レベルが高いので、通常、都市水が用いられる。又、トンネルを掘るプロセスでは、水は切削液として用いられることが多く、その汚水は、一般的に、実質的に全ての汚染物質を取り除くための濾過圧搾器又は他のプロセスを通過させてからでないとリサイクルされない。言うまでもなく、実質的に全ての汚染物質を取り除くことにより、大量の廃棄物が生成される。
【０００８】
この度、発明者らは、廃棄しなければならない廃棄物の生成量を減少させることを可能とする、製造プロセス又は建設プロセスに関連する水回収プラントを稼働させるためのプロセスを見出した。
【課題を解決するための手段】
【０００９】
本発明により、水回収プラントを稼働させるためのプロセスが提供されている。このプロセスは、製造プロセス又は建設プロセスから回収された、固形物により汚染されている水で貯蔵タンクを充填することと、貯蔵タンク内の一以上の選択された汚染物質の濃度に関連するパラメータを決定することと、貯蔵タンク内の一以上の選択された汚染物質の濃度が所望のレベル以下になるように固形物で汚染された水を希釈することと、製造プロセスにおいて貯蔵タンクからの水を使用することと、を含んでいる。
【００１０】
本発明では、多くの製造プロセス及び建設プロセスにおいては、ある程度の固形汚染物質を含む水を使用することが可能であることが認められている。通常、このような製造プロセス及び建設プロセスでは、生成される廃液の量は、製造プロセスの稼働において必要となる量よりも少ない。従って、製造プロセスでの利用のためには、水を追加供給しなければならない。通常、この追加する水は、都市水の供給源から供給され、実質的に汚染されていない。発明者らは、この実質的に汚染されていない水を用いて製造プロセスからの廃液を希釈することにより、製造プロセスの副産物の大部分をリサイクルすることが可能であり、それによって、廃液処理において生じる廃棄物の量を最小限に抑えることが可能となることを見出した。
【００１１】
本発明は、生コンクリートの製造を参照しながら詳細に記載されているが、言うまでもなく、本発明に係るプロセスは、様々な他の製造プロセス及び建設プロセスに適用可能である。
【００１２】
生コンクリートの製造においては、コンクリートの製造に水が用いられる。この水は、セメント並びに砂利及び砂のような微粒子を含むその他の構成要素と合わされる。又、製造プロセスで用いられた装置の洗浄においても、大量の水が用いられる。そのような装置はコンクリートが固まる前に洗浄される必要があり、この洗浄プロセスでは、大量の懸濁物質が水を汚染する。又、水は、生コンクリートの分配に用いる車に搭載されている回転ボールの洗浄においても用いられる。回転ボールからの洗浄液には、複数のグレードの砂利及び石粉や懸濁物質により汚染された水が含まれている。この洗浄液は、本発明では、サイズ分布に応じて複数のグレードの砂利が洗浄液から分離される回収プロセスを経るようにされる。このような回収された複数グレードの砂利は、本来ならコンクリート製造業者により購入又は採石されるであろう砂利の代わりとして用いられてもよい。
【００１３】
回収された砂利及び石粉から分離された水は、先ず、使用済の水がポンプにより貯蔵タンクに送られうるようになされているピットの中に集められうる。廃液を最初に貯蔵するためにピットを利用することで、洗浄に用いられた水の利用及び収集における変動を緩和することや、ポンプによりピットから貯蔵タンクへ廃液を連続的に注入することが好都合に可能となる。
【００１４】
本発明では、コンクリートの製造にとって好ましくない汚染物質は、不活性微粉、セメント質製品、泥、及びこれらを組み合わせた物を含んでいる。
【００１５】
決定されるパラメータとしては、懸濁物質及び比重が挙げられうる。
【００１６】
コンクリート製造装置及び分配車の回転ボールの洗浄から回収される水は、通常、懸濁物質により汚染されている。貯蔵タンク内の懸濁物質の濃度は、如何なる好都合な手段を用いて決定されてもよい。懸濁物質の濃度は、当該懸濁物質の濃度が所望のレベルを超えたときに当該懸濁物質のレベルをその所望のレベル又はそれ未満に減少せしめるよう貯蔵タンク内のリサイクル水を希釈するために、連続して監視されることが好ましい。発明者らは、後になって生コンクリートの製造に利用するためにリサイクル水を処理するにあたっては、懸濁物質のレベルを、１００，０００ｐｐｍ以下、更に好ましくは５０，０００ｐｐｍ未満に維持することが好ましいことを見出した。好都合なことに、発明者らは、懸濁物質メータを用いることにより懸濁物質のレベルを容易に測定できることを見出した。比重もまた、懸濁物質のレベルの決定に用いられうるパラメータである。１．０５の比重から１００，０００ｐｐｍの懸濁物質を含有する水が適切に近似されるし、又、１．０２５の比重から５０，０００ｐｐｍのコンクリート製造装置の洗浄からの水を汚染しうる懸濁物質を含有する水が適切に近似される。
【００１７】
貯蔵タンクからのリサイクル水は、生コンクリートの製造に用いられる水を供給するために用いられうる。水は、貯蔵タンクから取り出されてコンクリート製造におけるバッチ水として用いられてもよいし、及び／又は、貯蔵タンクから取り出されてコンクリート製造装置及び分配車の回転ボールの洗浄のために用いられてもよい。
【００１８】
複数バッチのコンクリートを製造するために用いる目的で摂取された水は、複数バッチのコンクリートを製造するために用いられる前に、配水タンク等において更に希釈されてもよい。
【００１９】
リサイクル水を希釈するために用いられる水は、飲料水の都市水供給源から導入される水であってもよいし、又は、比較的綺麗な水の他の供給源からの水であってもよい。本発明に係る一つの実施形態においては、本システムの選択された貯蔵容量がその上限に達した場合、リサイクル水の希釈に用いられる水は、濾過圧搾器の如き精製プロセスを通過したリサイクル水の超過分であってもよい。本発明に係る他の実施形態では、著しく汚染されたリサイクル水のバッチの一部が、その一部から過剰な懸濁物質を取り除くために濾過されてもよく、この濾過されたリサイクル水が貯蔵タンク内の残りのリサイクル水を希釈するために後になって用いられてもよい。
【００２０】
連続式の製造プロセスでは、多数の貯蔵タンクが順次用いられることが好ましい。従って、貯蔵ピットからポンプにより送給される水は、第一の貯蔵タンクを先ず充填するために用いられ、この第一の貯蔵タンク内のリサイクル水は、懸濁物質の所望のレベル未満に汚染レベルを維持するために必要に応じて希釈される。一旦その貯蔵タンクが満タンになるか、又は、コンクリートのバッチを更に製造するため又は製造装置若しくは分配車の回転ボールを洗浄するための水の供給源として用いられると、上記の貯蔵ピットからポンプにより送給されるリサイクル水は、第二の貯蔵タンク内にポンプにより送給され、この第二の貯蔵タンク内のリサイクル水は、懸濁物質のレベルを所望のレベル又はそれ未満に維持するために希釈されうる。同様にして、第三の貯蔵タンク及びその次の貯蔵タンクが用いられてもよい。貯蔵タンクの数量及びサイズは、製造プロセスにおいて用いるために必要となるリサイクル水の量によって決まる。
【００２１】
使用にあたり、複数の貯蔵タンクを備えた水処理プラントは、以下のプロセスに従って用いられうる。生コンクリートの製造又は装置及び車の洗浄から集められたリサイクル水は、そこからリサイクル水が連続的に移動されうるようなピット内に収集され、それにより、水処理プロセスにおけるリサイクルされる水の流量の変動が緩和される。このピットからポンプにより取り出された水は、第一の貯蔵タンクへ供給され、この第一の貯蔵タンク内における懸濁物質のレベルは、懸濁物質のレベルを決定するための懸濁物質メータが用いられて測定される。第一の貯蔵タンク内における懸濁物質の濃度が指定値を超えた場合、リサイクル水は、懸濁物質の濃度が指定レベル以下になるように希釈される。第一の貯蔵タンクが満タンになると、上述のピットからポンプにより取り出された水は、第二の貯蔵タンクに貯蔵される。この第二の貯蔵タンク内における懸濁物質の濃度も測定され、リサイクル水は、懸濁物質の濃度を所望のレベル未満に維持するために希釈される。第三の貯蔵タンク及びその次の貯蔵タンクも、同様にして用いられうる。貯蔵タンク内の懸濁物質の濃度が指定値を超えていると共に、この貯蔵タンクが満タンであるため更なる希釈が可能でない場合、この貯蔵タンク内のリサイクル水の一部を精製のためにサージタンクにポンプで送給してもよい。
【発明の効果】
【００２２】
本発明に係るプロセスは、生コンクリートの製造プロセス以外の、懸濁物質により汚染された水が生成される製造プロセス及び建設プロセスにおける水回収プラントを稼働させるために適用されてもよいことは明らかである。又、本発明に係る方法を他の製造プロセスに適用しても効果を発揮しうる。
【発明を実施するための最良の形態】
【００２３】
本発明は、添付の図面を参照して記述される。この添付の図面は、本発明を説明するためのものであって、本発明を制限するものではない。
【００２４】
回転ボールを含むコンクリート混合装置及び分配車を洗浄するための水は、図１に示されているリサイクラを通過する。回収装置は、粒子状物質をサイズに応じて様々なグレードに分離する。２０ｍｍ以上の粒子状物質が一つの流れに分離され、１０ｍｍ〜２０ｍｍまでの粒子状物質が第二の流れに分離され、沈殿物又は微粉が第三の流れから取り除かれることが、プロセスフロー図から明らかである。結果として得られたリサイクルのための水は、懸濁物質を含有している場合がある。この水は、第一のピット、ピットＡに集められ、そこから、逆止めポンプにより、第二のピット、ピットＢへと送給される。懸濁物質を含有するリサイクル水は、逆止めポンプにより、ピットＢからバルブＶ３を通って第一のサイロへと送給されうる。バルブＶ５が開いている場合、サイロ１からの水はポンプにより比重メータを通過して、バルブ１１を通して元のサイロに戻されうる。これに代えて又はこれに加えて、この水を、バルブ９を通して原水タンクへと送給してもよい。この原水タンクは、生コンクリートのバッチ製造において用いられる水を蓄えている。更なる水が、バルブ１０を介して、都市水の供給源から直接的に水計量用ホッパに加えられてもよい。
【００２５】
比重メータ１により測定された比重が所定の値を超えている場合、サイロ１のリサイクル水は、バルブＶ１からの都市水を用いて又はバルブＶ２からの濾過された水を用いて希釈されうる。水は、コンクリート製造装置又は分配車の回転ボールの洗浄における利用のために、サイロ１からバルブＶ４を通して移送されうる。この水は、その後、上述のようにリサイクラを通して回収される。サイロ１のリサイクル水が、前もって設定された値を著しく超えたレベルにまで汚染されている場合、サイロ１からのリサイクル水は、逆止めポンプにより、バルブＶ８及びバルブＶ６を通して、サイロ４の中へ送給されうる。又、サイロ４は、ピットＢからバルブＶ３を通して直接的に充填されてもよい。サイロ４からの水は、バルブ７を通して濾過圧搾器内で濾過されうる。この濾過圧搾器から、濾過ケーキが取り除かれて廃棄される。濾過水は、逆止めポンプにより、バルブ２を通して最初又はその次の貯蔵用サイロに送給されてもよい。
【００２６】
最初のサイロの内の何れかが充填されると、水は、水処理プラントを稼働させるためのプロセスにより、その次の貯蔵用サイロへと導かれる。
【００２７】
水処理プラントの稼働において用いられるプロセス制御の一例が、図２において示されている。
【００２８】
図３及び５には、本発明に係るプロセスの第二の実施形態が示されている。図３には、コンクリート製造プラントのためのバッチ式プラント用水リサイクルシステムが示されている。図４には、図３に示されているバッチ式プラント用水リサイクルシステムの稼働のためのフローチャートが示されている。図３に示されているバッチ式プラント用水リサイクルシステムの始動時点では、全てのサイロ（１，２，３及び４）は空の状態にある。ソレノイドバルブＶ１−１，Ｖ１−２及びＶ１−３を通じて、サイロ１，２及び３をその最大容積の３０％まで充填するために都市水が用いられる。水位は、圧力トランスデューサ（ＰＴ）により測定される。サイロ１，２及び３の各々における懸濁物質のレベルは、それぞれ、ＳＧメータ１，２，３により測定される。サイロ１，２，３の内在物は、それぞれ、送水ポンプＰ７−１，Ｐ７−２，Ｐ７−３の各々により比重メータ１，２，３を通って循環され、ソレノイドバルブＶ７−１，Ｖ７−２及びＶ７−３によってそれぞれのサイロ１，２，３に戻される。サイロの各々の中における懸濁物質は、バッチ式プラント用水リサイクルシステムの稼働全体に渡り連続して測定される。
【００２９】
サイロは、循環水を受け取る場合及びコンクリート製造プロセスにおいて利用する水を提供する場合の両方のために、待ち行列に加えられる。水がピットＡに集められると、その水は、送水ポンプＰ２により、待ち行列の先頭にあるサイロ、即ち第一にサイロ１へ送給される。バルブＶ２−１は開弁状態にあり、ピットＡから水をサイロ１にポンプを用いて送給することを可能としている。バルブＶ１−１は閉弁状態にあり、都市水がサイロ１に注入されることを防いでいる。バルブＶ１５は、様々な他の供給源からの水がピットＡに集められることを可能としている。懸濁物質メータであるＳＧメータ１が前もって設定された限界値未満である間、セメントの製造のバッチ処理のための水を提供するためにバルブＶ８−１が開弁される。ソレノイドバルブＶ４−１は、戻ってきたトラックからコンクリートを回収するためだけではなく、そのトラックを洗浄するための水を提供するという利用のために、開弁状態にある。サイロ４に水を供給するためのバルブＶ５−１は、閉弁状態にある。
【００３０】
プロセスが動作状態にあり、ＳＧメータ１により測定される比重が前もって設定された限界値未満であり、サイロ１が空でもなければ満タンでもない間、コンクリートのバッチ処理及びトラックの洗浄のために必要とされる水はサイロ１から得られ、ピットＡに集められた水はポンプによりサイロ１へと送給される。
【００３１】
一旦サイロ１においてＳＧメータ１により測定される懸濁物質が前もって設定された限界値以上の値に到達すると、バルブＶ２−１が閉弁され、バルブＶ４−１及びバルブＶ８−１が同時に閉弁される。サイロ２からの水がバッチ処理及び洗浄の両方のために利用できるように、バルブＶ２−２が開弁され、バルブＶ８−２及びバルブＶ４−２が同時に開弁される。サイロ１が８０％を超えて満たされ、かつ、比重メータ１により懸濁物質のレベルが前もって設定された値を超えていることが示される場合、バルブＶ５−１は開弁され、サイロ１の内在物はポンプＶ５によりサイロ４へ送給される。サイロ１の内在物が８０％未満である場合、タンクＢからの水は、可能ならば、サイロ１の中の水レベルが２０％上昇するまで、ポンプＰ１によりバルブＶ３−１を通してサイロ１へと送給される。もしピットＢが空の状態であり、かつ、サイロ４が５％未満である場合には、バルブＶ１−１が開弁され、サイロ１は２０％上昇するまで都市水が供給される。
【００３２】
サイロが満タンの状態に達した場合、バルブＶ２は閉弁され、ピットＡからポンプにより送給されている水は、待ち行列において待機している次のサイロを充填するために用いられる。
【００３３】
サイロ１，２及び３の全てが満タンである場合、バルブＶ２−１，Ｖ２−２及びバルブＶ２−３は閉弁され、サイロ４が８０％未満である場合には、ピットＡはバルブＶ２−４を通してサイロ４の中へ排出させられる。もし、サイロ４が８０％を超えて満たされている場合、アラームが鳴らされ、バルブＶ２−４が閉弁され、バルブＶ１５が同時に閉弁される。
【００３４】
何れのサイロであっても、バルブ８が開弁されているときはバルブ７は閉弁されていなければならず、その逆もまた同様である。バルブ８は、原水タンクが満タンでない場合のときのみ開弁される。
【００３５】
サイロは、待ち行列に加えられた順番に従って充填される。
【００３６】
何れかのサイロが２％未満になった場合、攪拌機は停止される。その他のときには、攪拌器は常に稼働している。
【００３７】
各サイロにおける循環用ポンプは、原水タンクに供給しているときを除き、４０％かそれを超えるよう満たされている場合に稼働する。
【００３８】
濾過圧搾器は、ピットＢが満タンでないのであれば、サイロ４を常に空にする。
【００３９】
サイロ４が１００％満たされた状態に到達した場合は何時でも、サイロ４が９５％満たされている状態に到達するまでバルブＶ５及びＶ２−４は全て閉弁され、その後、それらは再び開弁される。
【００４０】
原水タンクは、高レベルに満たない間は常に充填される。低レベルである場合には、都市水を用いるバッチ処理が行われる。
【００４１】
全てのサイロがＳＧ限界値を超えている場合、一つのサイロがＳＧ限界値未満になるまでバッチ処理に都市水が用いられる。次いで、このサイロがＮに設定されて、再び始動する。
【００４２】
全ての番号のバルブに対し、一度に一つのバルブのみを開弁することが可能である。
【００４３】
ポンプＰ２は、ピットＡの中の中間レベルスイッチが覆われたときのみ稼働する。
【００４４】
バルブＶ１３は、手動式のシャットオフバルブである。
【００４５】
好都合なことに、本発明により、コンクリート製造業者は、非常に多くの量の砂利を回収することができると共に、廃棄される廃液の量を減少させることもできる。驚いたことには、特別なセメント又は他の高価な添加物が必要となるような、コンクリートの物性において不利となる影響を一切もたらすことなく、一見相反するこれらの要求事項が本プロセスにおいて果たされる。
【産業上の利用可能性】
【００４６】
本発明に係るプロセスは、生コンクリートの製造プロセス以外の、懸濁物質により汚染された水が生成される製造プロセス及び建設プロセスにおける水回収プラントを稼働させるために適用されてもよいことは明らかである。又、本発明に係る方法を他の製造プロセスに適用しても効果を発揮しうる。
【図面の簡単な説明】
【００４７】
【図１】本発明に係る第一の実施形態に従って稼働する水処理プラントにおけるリサイクル水の流れを示すプロセスフロー図である。
【図２】図１に示す水処理プラントの動き方を示すフローチャートである。
【図３】本発明に係る第二の実施形態に従って稼働する水処理プラントにおけるリサイクル水の流れを示すプロセスフロー図である。
【図４】図２に示す水処理プラントの動き方を示すフローチャートである。
【符号の説明】
【００４８】
Ｖ１〜Ｖ１１，Ｖ１５  バルブ（ソレノイドバルブ）
Ｖ１２，Ｖ１３  バタフライバルブ
Ｖ１−１〜Ｖ１−３  ソレノイドバルブ
Ｖ２−１〜Ｖ２−４  ソレノイドバルブ
Ｖ３−１〜Ｖ３−３  ソレノイドバルブ
Ｖ４−１〜Ｖ４−３  ソレノイドバルブ
Ｖ５−１〜Ｖ５−４  ソレノイドバルブ
Ｖ７−１〜Ｖ７−３  ソレノイドバルブ
Ｖ８−１〜Ｖ８−３  ソレノイドバルブ
Ｖ１４−１〜Ｖ１４−４  ソレノイドバルブ
Ｐ１〜Ｐ６  送水ポンプ（ポンプ）
Ｐ７−１〜Ｐ７−３  送水ポンプ
ＰＴ  圧力トランスデューサ
【図１】
0005118802.tif 000002
【図２】
0005118802.tif 000003
【図３】
0005118802.tif 000004
【図４】
0005118802.tif 000005